(57)【要約】【課題】水分の偏在を防いで水分量を平均化し根や匍匐茎の成長を促進する排水調整マットを備えて多年草植物の成長に適した環境を形成するとともに、多年草植物が植生された緑化構造物を提供すること。【解決手段】基盤面３上に敷設された合成樹脂繊維を絡ませた立体網状構造体からなる排水マット５と、排水マット５の上に積重された合成樹脂繊維不織構造体からなり前記排水マット５へ余剰水の流下を行うとともに根が下方の前記排水マットへ延びることを防ぐ防根シート７と、防根シート７の上に積重され合成樹脂繊維のフェルトマット１１、１３からなる排水調整マット９と、該排水調整マット９の上に積重された合成樹脂繊維を絡ませた立体網状構造体からなる緑化基盤１７と、該緑化基盤１７の上および緑化基盤１７内に絡ませた客土層１９と、を順次積層し客土層１９に多年草植物２３を植生する。【選択図】図１
2011019431.tif 000002
【特許請求の範囲】
【請求項１】
建築構造物の基盤面上に構築される緑化構造物であって、
基盤面上に敷設された合成樹脂繊維を絡ませた立体網状構造体からなる排水マットと、該排水マットの上に積重された合成樹脂繊維不織構造体からなり前記排水マットへ余剰水の流下を行うとともに根が下方の前記排水マットへ延びることを防ぐ防根シートと、該防根シートの上に積重され合成樹脂繊維フェルトマット層からなる排水調整マットと、該排水調整マットの上に積重された合成樹脂繊維を絡ませた立体網状構造体からなる緑化基盤と、該緑化基盤の上に積層および該緑化基盤の構造体内に絡ませた客土層と、を順次積層し前記客土層に多年草植物が植生されていることを特徴とする緑化構造物。
【請求項２】
前記排水調整マットは、合成樹脂繊維フェルト層を上下に有し、その間に合成樹脂のメッシュシートを設けた３層構造体からなることを特徴とする請求項１記載の緑化構造物。
【請求項３】
前記多年草植物は、フェスク、バヒアグラス、アルファルファ、シロツメクサ、ムラサキツメクサ等の牧草と、ツボサンゴ、ジャガ、ヤブラン等の宿根草花とを混植したことを特徴とする請求項１記載の緑化構造物。
【請求項４】
前記排水調整マットおよび緑化基盤はそれぞれユニット化されて形成されたユニット排水調整マット内およびユニット緑化基盤内によって構成され、ユニット排水調整マット内およびユニット緑化基盤内で前記多年草植物の根また匍匐茎が互いに絡んで、前記ユニット排水調整マットおよびユニット緑化基盤を一体的に結合して一枚のマット層のように構成されることを特徴とする請求項１記載の緑化構造物。
【発明の詳細な説明】
【技術分野】
【０００１】
本発明は、建築構造物の基盤上に構築される緑化構造物に関し、特に、屋上やバルコニーに植物を育成するための緑化構造物に関する。
【背景技術】
【０００２】
近年、建造物の高層化に伴い、都市の景観を配慮した都市造り、さらに、建物内の冷暖房エネルギー節約の観点から、ビル等の屋上やバルコニーに植物を育成し、緑化することが注目されている。
【０００３】
建造物の屋上やバルコニーを緑化する例として、従来、特許文献１（特許第３４０８４３９号公報）の緑化構造物が知られている。この特許文献１は、図５に示すように、建築構造物０１の屋上またはバルコニーの基盤面０３上に水不透過性の遮水防根シート０５を敷設し、該遮水防根シート０５の上に７５０〜２５００デニールの合成樹脂繊維不織構造体マットからなり水を前記遮水防根シート０５の表面に沿って排出させる排水層０７を積重し、さらに該排水層０７の上に１００デニール以下の合成樹脂繊維不織構造体マットからなり水を保持する保水層０９を積重し、該保水層０９の上に客土層０１１を積重し、該客土層０１１に植物０１２が植えられている。
【０００４】
また、基盤面０３には排水管０１３およびそれを覆う排水キャップ０１５が設けられ、その排水管０１３および排水キャップ０１５を覆うように、濾過筒０１７と有孔蓋０１９とからなるドレインカバー０２１が設けられている。そして、濾過筒０１７の下端を遮水防根シート０５に当接させて客土層０１１中に埋設している。
さらに、下端を保水層０９に当接させて客土層０１１中に埋設して、合成樹脂繊維不織構造体マットを円筒状に巻上げて成形した補助濾過筒０２３を備えて、客土層０１１の表面水の排除、客土層０１１中の余剰水の排除、および客土層０１１中への空気供給を行っている。
また、特許文献１と同様の技術が特許文献２にも開示されている。
【先行技術文献】
【特許文献】
【０００５】
【特許文献１】特許第３４０８４３９号公報
【特許文献２】特開２００３−２１００３４号公報
【発明の概要】
【発明が解決しようとする課題】
【０００６】
前記特許文献１、２に示される緑化構造物においては、合成樹脂繊維を用いて保水層、排水層を形成する構造が示されているが、客土層に植生する植物種類については示されてなく、例えば、セダム類植物のような多肉植物に適する緑化構造であるのか、多年草植物のような、根部、匍匐茎の成長が大きい植物に適する緑化構造であるのか明らかでない。
従って、植生する植物種類を考慮してその種類に応じた適切な緑化構造が示されていない。
【０００７】
植生植物がセダム類植物のような多肉植物の場合には、葉、茎に水分を蓄えることができる植物であるため、葉、茎が厚くなり貯水組織として発達する。そのため、水分補給等の管理の手間を省くことができるので、屋上やベランダ等における緑化構造物の植物として広く用いられている。
【０００８】
しかし、この多肉植物の根部また茎部は多年草植物や宿根草に比べて延びが少ないため、多肉植物に適した緑化構造物の積層構造を用いて、そのまま多年草の植物を植えた場合には多年草の根部や匍匐茎の成長が妨げられて、十分な育成を行うことができない問題を有している。また、根部の成長を制御できずに根部が自由に延びて排水管等を詰まらせて排水機能を害するおそれもある。
【０００９】
多年草植物とは、種まきや植え付けをした後、数年に渡って開花、結実を繰り返す草本をいい、また、宿根草ともいわれている。
年間を通じて常緑のものと、冬または夏に地上部分が枯れるものがあり、適切な種類の多年草植物を選択するとともに、冠水処理を頻繁に施すことによって年間を通じてボリューム豊かで季節の変化を楽しめるため、屋上緑化の植物として期待されている。
【００１０】
そこで、本発明は、かかる問題点に鑑み、水分の偏在を防いで水分量を平均化し根や匍匐茎の成長を促進する排水調整マットを備えて多年草植物の成長に適した環境を形成するとともに、該多年草植物が植生された緑化構造物を提供することを課題とする。
【課題を解決するための手段】
【００１１】
かかる課題を達成するため、本発明は、建築構造物の基盤面上に構築される緑化構造物であって、基盤面上に敷設された合成樹脂繊維を絡ませた立体網状構造体からなる排水マットと、該排水マットの上に積重された合成樹脂繊維不織構造体からなり前記排水マットへ余剰水の流下を行うとともに根が下方の前記排水マットへ延びることを防ぐ防根シートと、該防根シートの上に積重され合成樹脂繊維フェルトマット層からなる排水調整マットと、該排水調整マットの上に積重された合成樹脂繊維を絡ませた立体網状構造体からなる緑化基盤と、該緑化基盤の上に積層および該緑化基盤の構造体内に絡ませた客土層と、を順次積層し前記客土層に多年草植物が植生されていることを特徴とする。
【００１２】
かかる発明によれば、建築構造物の基盤面上に排水マットと、防根シートと、排水調整マットと、緑化基盤と、客土層とを層状に重ね合わせて緑化積層構造体を構成し、客土層に多年草植物を植生するので、客土層および緑化基盤にしみ込んだ雨水若しくは散布水は、合成樹脂繊維フェルトマット層からなる排水調整マットに吸収されるとともに、その下の防根シートによって、水分の偏在化が防止されて、排水調整マットおよび緑化基盤に含まれる水分量を平均化されて根、茎への水分供給が偏りなく行われる。
さらに、排水調整マットの下方の防根シートは、根の貫通や土壌の流出を防ぐ以外に食物の育成に必要な通気性、透水性を保持しているので、根、茎は防根シートを貫通することなく排水調整マットおよび緑化基盤内を横方向に広がって成長することができる。
また、防根シートの下方に設置された合成樹脂繊維を絡ませた立体網状構造体からなる排水マットによって、余剰水の速やかな排出と、気相の取り込みとにより根腐れが防止される。
【００１３】
以上のように、建築構造物の基盤面上に排水マットと、防根シートと、排水調整マットと、緑化基盤と、客土層とを層状に重ね合わせて緑化積層構造体を構成し、特に、フェルトマット層からかる排水調整マットとその下の防根シートとによって、水分の偏在を防いで水分量を平均化し根や匍匐茎の成長が促進されるため、多年草植物の成長に適した環境が形成される。
そして、多年草植物は葉に水分を蓄える多肉植物よりも、根や茎に水分を蓄えるためその成長が大きく、根、匍匐茎の成長によって根や匍匐茎が緑化基盤内で合成樹脂線維と、または根や茎同士が絡まり、排水調整マットにも延びてその内部でも絡まる。これによって、緑化基盤と排水調整マットとが１枚のマットのように結合して、緑化積層構造体を強固な構造物とすることができ、台風等の強風にも耐えることができ、環境変化に強く四季を通じての緑化が可能になる。
【００１４】
また、本発明において、好ましくは、前記排水調整マットは、合成樹脂繊維フェルト層を上下に有し、その間に合成樹脂のメッシュシートを設けた３層構造体からなるとよい。
かかる構成によれば、排水調整マットがメッシュ状のシートを合成繊維フェルトマットでサンドイッチした構造とすることで、上側の合成繊維フェルトマットにしみ込んだ水分はメッシュシートによって水分の流下速度が緩められて四方に拡散して一時的に保持されて下側の合成繊維フェルトマットに流下するため排水調整マット内で水分の偏在化が一層防止されて、緑化基盤に含まれる水分量の平均化が効果的に得られる。
【００１５】
また、本発明において、好ましくは、前記多年草植物は、フェスク、バヒアグラス、アルファルファ、シロツメクサ、ムラサキツメクサ等の牧草と、ツボサンゴ、ジャガ、ヤブラン等の宿根草花とを混植して構成するとよい。
かかる構成によれば、多年草植物として牧草と宿根草花とを混在させて植生することによって、ボリューム豊かで、四季の変化に応じた草花を鑑賞することが可能になる。
【００１６】
また、本発明において、好ましくは、前記排水調整マットおよび緑化基盤はそれぞれユニット化されて形成されたユニット排水調整マット内およびユニット緑化基盤内によって構成され、ユニット排水調整マット内およびユニット緑化基盤内で前記多年草植物の根また匍匐茎が互いに絡んで、前記ユニット排水調整マットおよびユニット緑化基盤を一体的に結合して一枚のマット層のように構成されるとよい。
【００１７】
かかる構成によれば、ユニット排水調整マット内およびユニット緑化基盤内で多年草植物の根また匍匐茎が互いに絡んで、排水調整マットおよび緑化基盤を一枚のマット層のように構成される。すなわち、緑化基盤および排水調整マットをユニット化して、現場でこれらマットや基盤を設置し、その後植物の根や匍匐茎によって一体化されて強固になることで、簡単な施工が可能になる。
【発明の効果】
【００１８】
本発明によれば、建築構造物の基盤面上に敷設された合成樹脂繊維を絡ませた立体網状構造体からなる排水マットと、該排水マットの上に積重された合成樹脂繊維不織構造体からなり前記排水マットへ余剰水の流下を行うとともに根が下方の前記排水マットへ延びることを防ぐ防根シートと、該防根シートの上に積重され合成樹脂繊維フェルトマット層からなる排水調整マットと、該排水調整マットの上に積重された合成樹脂繊維を絡ませた立体網状構造体からなる緑化基盤と、該緑化基盤の上に積層および該緑化基盤の構造体内に絡ませた客土層と、を順次積層し前記客土層に多年草植物が植生されているので、特に、排水調整マットおよび防根シートによって水分の偏在を防いで水分量を平均化し根部や匍匐茎部の成長を促進するので、多年草植物の根や匍匐茎の成長に適した環境が形成される。
そして、多年草植物の根、匍匐茎の成長が緑化基盤内に止まらず、排水調整マットにも延びてその内部で互いの根、茎と絡まり、または合成樹脂繊維と絡まることで、緑化基盤と排水調整マットとが１枚のマットのように結合して、緑化積層構造体を強固な構造物とすることができ、台風等の強風にも耐えることができる。
【図面の簡単な説明】
【００１９】
【図１】本発明にかかる緑化構造物の全体構成図である。
【図２】緑化積層構造体の拡大図である。
【図３】排水調整マットの構造図である。
【図４】建築構造物の屋上緑化の全体構成説明図である。
【図５】従来技術を示す説明図である。
【発明を実施するための形態】
【００２０】
以下、本発明を図に示した実施形態を用いて詳細に説明する。但し、この実施形態に記載されている構成部品の寸法、材質、形状、その相対配置などは特に特定的な記載がない限り、この発明の範囲をそれのみに限定する趣旨ではない。
【００２１】
図１は、本発明の緑化構造物の一例を示すものである。図２はその緑化構造物を構成する緑化積層構造体の拡大図である。
緑化ビル等の建築構造物１の屋上またはバルコニーの基盤面３には雨水等がビル等の屋上からビル内に漏水することを防止すると共に、植物の根が屋上のコンクリートの破損部に侵入して、破損を更に増大させることを防止するために防水処理が施されている。
【００２２】
そして、この防水処理が施された基盤面３の上には排水マット５が敷設されている。排水マット５は、ポリプロピレンからなる合成樹脂繊維を絡ませた立体網状構造体によって構成され、合成樹脂繊維は直径０．５〜１ｍｍのものが好ましく、また、マットの厚さは１０〜５０ｍｍが好ましい。余剰水の速やかな排出と、新鮮な空気の取り込みとにより根腐れを防止する点からこのようなマット厚さおよび繊維太さが好ましい。
【００２３】
排水マット５の上には、ポリエステル長繊維不織布からなる防根シート７が積重されている。この防根シート７は排水マット５への余剰水の流下及び植物の育成に必要な通気性を有しているが、根が下方の排水マット５へ延びることや土壌の流下を防ぐのに適した繊維密度となっている。
【００２４】
さらに、防根シート７の上には、排水調整マット９が積重されている。この排水調整マット９は、図３に示すように、上下の合成樹脂繊維のフェルトマット１１、１３の間にＰＰ（ポリプロピレン）の繊維を平織りの布状に加工したメッシュシート１５をサンドイッチした構造となっている。この３層構造の排水調整マット９は保水性の点で全体が１０ｍｍ程度の厚さを有していることが好ましい。
【００２５】
上側フェルトマット１１には上方よりしみ込んだ水分は、メッシュシート１５によって流下速度が緩められて四方に拡散して一時的に保持される。そして、メッシュシート１５に保持され余剰となった水分は、メッシュシートの開口を抜けて下側フェルトマット１３にしみ込んで流下する。下側フェルトマット１３に流下した水は、該下側フェルトマット１３の下に設置された防根シート７より拡散されて下側フェルトマット１３に均等に保持されるようになる。このように順々拡散されるようにして流下されることで、排水調整マット９内の水分は偏ることなく平均に保持される。
【００２６】
排水調整マット９の上方には７５０〜２５００デニールの合成樹脂繊維を絡ませた立体網状構造体からなる緑化基盤１７が積重されている。この緑化基盤１７は、ＰＰ（ポリプロピレン）とＰＥ（ポリエチレン）との複合繊維からなり、すなわち、比較的太いＰＰ繊維の表面をＰＰ繊維よりも融点の低いＰＥで被覆した複合ポリオレフィン繊維を立体的に交絡し、その交絡点で繊維同士を熱誘着したマットであり、保水性、耐久性、強度の点で好ましい。
【００２７】
さらに、緑化基盤１７の上および緑化基盤１７内部には、客土層１９の土壌が積重または絡み、建築構造物１の基盤面３上の排水マット５と、防根シート７と、排水調整マット９と、緑化基盤１７と、客土層１９とを層状に重ね合わせて緑化積層構造体２１が構成されている。
そして、客土層１９に植生植物として多年草植物２３が植えられ、この緑化積層構造体２１と多年草植物２３との一体化によって緑化構造物２５が形成されている。
【００２８】
多年草植物２３は、種まきや植え付けをした後、数年に渡って開花、結実を繰り返す草本をいい、また、宿根草ともいわれ、年間を通じて常緑のものと、冬または夏に地上部分が枯れるものがある。適切な種類の多年草植物を選択して前記緑化積層構造体２１の客土層１９に植生し冠水処理を施すことによって年間を通じてボリューム豊かで季節の変化を楽しめる緑化構造物２５を提供できる。具体的には、フェスク、バヒアグラス、アルファルファ、シロツメクサ、ムラサキツメクサ等の牧草と、ツボサンゴ、ジャガ、ヤブラン等の宿根草花とを混植して構成することによって、ボリューム豊かで、四季の変化に応じた草花が植生された緑化構造物２５を提供できる。
本実施形態においては客土層１９に種まきをしてもよいし、植え付けをしてもよい。さらに、圃場で育成させた苗を後述するようなユニット化して設置できるようにしてもよい。
【００２９】
次に、前記緑化構造物２５を用いての植物の育成について説明する。
図１に示すように客土層１９で発芽または植生された多年草植物２３は、緑化基盤１７および排水調整マット９内部に保水された水を吸収して生育する。雨水、または散布装置の冠水チューブ２７によって散水される水が緑化基盤１７に保持され、余剰水分が排水調整マット９に流下し、さらに防根シート７へと流下する、この際に、排水調整マット９および防根シート７によって、緑化基盤１７および排水調整マット９の内部に均一に吸収、保持される。
【００３０】
そして、排水調整マット９および防根シート７の保水能力を超えた場合には、余剰水分は、防根シート７から排水マット５に流下し、建築構造物１の屋上またはバルコニーの基盤面３に沿って排水マット５内を移動して、縁材のボーダー２９の底面に形成された排水切欠部３１に集まり、排水されて、排水管キャップ３３から排水管３５に流れ込むようになっている。なお、このボーダー２９は、焼き物であり中空の直方体形状のブロック材である。
【００３１】
前記のように排水調整マット９および防根シート７によって、緑化基盤１７および排水調整マット９の部分には偏ることなく均一に吸収、保持されるので、緑化基盤１７に植生された多年草植物の根（匍匐茎）４０には均等に水分が供給される。その結果、根（匍匐茎）４０の成長が促進されて緑化基盤１７内部での成長からさらに排水調整マット９内に延びて成長することができる。排水調整マット９の前記３層構造による水分の保水、均一化がより一層、根、茎の成長を促す。
【００３２】
また、排水調整マット９の下方に位置する防根シートによって、根の貫通や土壌の流出を防ぐともに、食物の育成に必要な通気性、透水性を保持し、さらにその下の排水マット５による、余剰水の速やかな排出と、気相の取り込みによる根腐れ防止によって、根または茎は防根シート７を貫通することなく排水調整マット９および緑化基盤１７の内部を横方向に広がって延びて、根同士、茎同士が絡み合って成長する。
また、多年草植物は、多肉植物のように水分を葉に蓄えないため根または茎が、多肉植物より成長するため、根同士または茎同士の絡み合いが生じやすく、排水調整マット９および緑化基盤１７の根の成長、あるいは匍匐茎の成長によって一体化しやすい。
【００３３】
次に、緑化構造物２５を屋上またはバルコニーに設置する手順について説明する。
まず、屋上またはバルコニーの基盤面３上にボーダー２９を並べて（図４参照）、緑化する領域を区画する。そして、基盤面３上の所定の位置、例えば、排水マット５、排水調整マット９、緑化基盤１７をそれぞれユニット化して形成し、ユニット排水マット５ａ、ユニット排水調整マット９ａおよびユニット緑化基盤１７ａの交差位置に相当する位置に配置する。次に、基盤面３上にユニット排水マット５ａを並べる。
【００３４】
そして、そのユニット排水マット５ａの上にシート状の防根シート７を乗せる。このとき固定金具４２のボルト部を避けるようにして覆う。そしてその防根シート７上に、ユニット排水調整マット９ａ、ユニット緑化基盤１７ａを重ねて、固定金具４２のボルト部に押えプレートを締め付けてユニット緑化基盤１７ａを押し付けて固定する。固定金具４２は各ユニット排水マット５ａ、ユニット排水調整マット９ａ、ユニット緑化基盤１７ａの交差位置に位置されているため、１つの固定金具で４枚のユニット緑化基盤１７ａを押し付けて固定できるようになっている。
【００３５】
以上のように、本実施形態によれば、建築構造物１の基盤面３上に排水マット５と、防根シート７と、排水調整マット９と、緑化基盤１７と、客土層１９とを層状に重ね合わせて緑化積層構造体２１を構成し、特に、排水調整マット９および防根シート７によって水分の偏在を防いで水分量を平均化し根部や匍匐茎部の成長を促進できるので、多年草植物の根や匍匐茎の成長に適した環境が形成される。
そして、緑化積層構造体２１に多年草植物２３を植生することで、根（匍匐茎）４０の成長が効率よく促進されるため、多年草植物２３の根、匍匐茎の成長によって、互いの根や匍匐茎が緑化基盤１７内で絡まるとともに、排水調整マット９にも延びてその内部で絡まることによって、緑化基盤１７と排水調整マット９とが１枚のマットのように結合して、緑化積層構造体２１を強固な構造物とすることができ、台風等の強風にも耐えることができ、環境変化に強く、四季を通じての緑化が可能になる。
【００３６】
さらに、本実施形態によれば、排水調整マット９および緑化基盤１７は、それぞれユニット化されたユニット排水調整マット９ａおよびユニット緑化基盤１７ａによって形成され、ユニット排水調整マット９ａ内およびユニット緑化基盤１７ａ内において多年草植物２３の根（匍匐茎）４０が互いに絡んで成長することによって、排水調整マット９が一枚のマット層のように一体化し、さらに緑化基盤１７が一枚のマット層のように一体化する。
【００３７】
しかも、根（匍匐茎）４０が互いに絡んで上下方向において積層されている緑化基盤１７の層と排水調整マット９の層とを一体化し、上下方向においても一体されることで、すなわち、上下方向、左右方向と一体化されることで（図１の根（匍匐茎）４０が互いに絡んで一体化された状態を参照）、一層強固な緑化構造物２５を形成することができる。その結果、簡単な施工が可能になるとともに台風等の強風にも耐えることができる緑化構造物２５が得られる。
【００３８】
なお、ユニット化される排水マット５や排水調整マット９や緑化基盤材の大きさは、１ｍ×１ｍまたは１ｍ×０．５ｍのものが好ましいが、大きさは特に限定されるものではない。
また、排水調整マット９についても２層の合成樹脂繊維のフェルトマット１１、１３の間にメッシュシート１５を介在されるものについて説明したが、３層の合成繊維フェルトマットの間にそれぞれメッシュシートを２層にして介在させるようにしてもよい。
【産業上の利用可能性】
【００３９】
本発明によれば、水分の偏在を防いで水分量を平均化し根や匍匐茎の成長を促進する排水調整マットを備えて多年草植物の成長に適した環境を形成するとともに、緑化積層構造体の客土層に多年草植物を植生することによって、根または匍匐茎の成長が促進されて、根または匍匐茎の絡まりによって緑化積層構造体が強固な一体構造物となりやすく、緑化積層構造体を強固な構造物とすることができ、台風等の強風にも耐えることができる。さらに、多年草植物によって、四季を通じた植物を観賞できるので、建築構造物の屋上やバルコニー等の緑化構造物へ用いることに適している。
【符号の説明】
【００４０】
１      建築構造物
３      基盤面
５      排水マット
７      防根シート
９      排水調整マット
１１    上側フェルトマット
１３    下側フェルトマット
１５    メッシュシート
１７    緑化基盤
２１    緑化積層構造体
２３    多年草植物
２５    緑化構造物
２９    ボーダー
３３    排水管キャップ
３５    排水管
４０    根（匍匐茎）
【図１】
2011019431.tif 000003
【図２】
2011019431.tif 000004
【図３】
2011019431.tif 000005
【図４】
2011019431.tif 000006
【図５】
2011019431.tif 000007